(57)【要約】【課題】  現場の状況にかかわらず、共通の資材を用い、かつ、同一の手順で下地面を構築可能な下地面構築方法、およびそれに用いる下地板固定用金具を提供すること。【解決手段】  壁面のリフォームを行う際、柱１４０、１４１の対向する側面１４０ａ、１４１ａのちり部分Ｔを利用して、Ｌ字形の下地板固定用金具１の第１の固定用板状部１０を柱１４０、１４１に固定した後、下地板１００の両端部を下地板固定用金具１の第２の固定用板状部２０に固定し、柱１４０、１４１の正面１４０ｂ、１４１ｂと下地板１００の表面を同一平面に揃えて下地面５を構築する。【選択図】    図３
2005146630.tif 000002
【特許請求の範囲】
【請求項１】
離間する位置で対向配置されている一対の角材の正面と下地板の表面とが同一平面をなすように当該下地板を前記一対の角材の間に固定して下地面を構築するための下地面構築方法であって、
第１の固定用板状部、および該第１の固定用板状部から直角に折れ曲がった第２の固定用板状部を備えた複数の下地板固定用金具を前記第１の固定用板状部によって前記一対の角材の側面に固定し、
次に、前記複数の下地板固定用金具の前記第２の固定用板状部に前記下地板の両端部の裏面側を当接させた状態で当該下地板の両端部を当該第２の固定用板状部の各々に固定して前記一対の角材の間に前記複数の下地板固定用金具を介して前記下地板を架け渡し、前記下地面を構築することを特徴とする下地面構築方法。
【請求項２】
請求項１において、前記第１の固定用板状部の裏面側、および前記第２の固定用板状部の裏面側の少なくとも一方には、滑り止め用突起が形成されていることを特徴とする下地面構築方法。
【請求項３】
請求項１または２において、前記第１の固定用板状部の下端部、および前記第２の固定用板状部の下端部の少なくとも一方には、前記下地板の下端部を受ける支持用突起が形成されていることを特徴とする下地面構築方法。
【請求項４】
請求項１ないし３のいずれかにおいて、前記第１の固定用板状部の前端縁から前記第２の固定用板状部の折れ曲がり位置までの寸法は、前記下地板の厚さと略等しく、
前記第１の固定用板状部は、当該第１の固定用板状部の前端縁位置が前記角材の正面と側面とが形成する角部に一致するように前記角材に固定されることを特徴とする下地面構築方法。
【請求項５】
請求項１ないし４のいずれかにおいて、前記角材は柱であり、当該柱のちり部分に対して前記下地板固定用金具を固定して、前記下地面として、新たに構築する壁の下地面を形成することを特徴とする下地面構築方法。
【請求項６】
離間する位置で対向配置されている一対の角材の正面と下地板の表面とが同一平面をなすように当該下地板を前記一対の角材の間に固定するための下地面形成用金具であって、
前記角材の他の角材と対向する側面に固定される第１の固定用板状部と、
前記下地板の端部の裏面側が当接可能なように前記第１の固定用板状部から直角に折れ曲がって当該下地板の端部が固定される第２の固定用板状部とを備えていることを特徴とする下地板固定用金具。
【請求項７】
請求項６において、前記第１の固定用板状部の裏面側、および前記第２の固定用板状部の裏面側の少なくとも一方には、複数の滑り止め用突起が形成されていることを特徴とする下地板固定用金具。
【請求項８】
請求項６または７において、前記第１の固定用板状部の下端縁、および前記第２の固定用板状部の下端縁の少なくとも一方には、前記下地板の下端部を受ける支持用突起が形成されていることを特徴とする下地板固定用金具。
【発明の詳細な説明】
【技術分野】
【０００１】
本発明は、柱や梁や根太などの角材で両側を囲まれた空間に下地面を構築するための下地面構築方法、およびそれに用いる下地板固定用金具に関するものである。
【背景技術】
【０００２】
左右を柱で囲まれた壁面のリフォームなどにおいては、まず、柱と柱の間に下地板を複数枚、貼り付けて、下地板の表面と柱の正面によって下地面を構築した後、この下地面（下地板の表面および柱の正面）に下地ボードを釘などで貼り付け、しかる後に、下地ボードの表面にクロスを張っている。
【０００３】
その際、柱と柱との間では、現存する壁面が柱の角から凹んだ状態にあるため、下地板としては、柱の正面から壁面が凹んでいる状態に合わせて、適当な厚さのものを用いたり、下地板と壁面との間に適度な下地材を詰めたりして、下地板の表面と柱の正面が同一平面となるようにしている。
【発明の開示】
【発明が解決しようとする課題】
【０００４】
しかしながら、上記の下地面構築方法では、現場において、現存する壁面の柱の角からの凹み具合などを確認した後、下地板の厚さを選定したり、下地材を準備する必要があるため、下地面の構築に多大な手間と長年の勘が必要である。また、壁面が繊維壁などで出来ている場合には釘がきかないため、柱と柱の間に下地板を固定する方法を現場に合わせて工夫する必要があり、下地材の固定にも多大な手間と長年の勘が必要であるという問題点がある。
【０００５】
このような問題に鑑みて、本発明の課題は、現場の状況にかかわらず、共通の資材を用い、かつ、同一の手順で下地面を構築可能な下地面構築方法、およびそれに用いる下地板固定用金具を提供することにある。
【課題を解決するための手段】
【０００６】
上記課題を解決するために、本発明は、離間する位置で対向配置されている一対の角材の正面と下地板の表面とが同一平面をなすように当該下地板を前記一対の角材の間に固定して下地面を構築するための下地面構築方法であって、第１の固定用板状部、および該第１の固定用板状部から直角に折れ曲がった第２の固定用板状部を備えた複数の下地板固定用金具を前記第１の固定用板状部によって前記一対の角材の側面に固定し、次に、前記複数の下地板固定用金具の前記第２の固定用板状部に前記下地板の両端部の裏面側を当接させた状態で当該下地板の両端部を当該第２の固定用板状部の各々に固定して前記一対の角材の間に前記下地板固定用金具を介して前記下地板を架け渡し、前記下地面を構築することを特徴とする。
【０００７】
本発明では、前記下地板固定用金具の前記第１の固定用板状部の裏面側、および前記第２の固定用板状部の裏面側の少なくとも一方には、複数の滑り止め用突起が形成されていることが好ましい。このようにすれば、滑り止め用突起が角材の側面、あるいは一対の角材で挟まれた面等に食い込むため、下地板固定用金具の位置がずれてしまうことを防止できるので、下地面の構築作業を行いやすい。
【０００８】
本発明では、前記下地板固定用金具の前記第１の固定用板状部の下端部、および前記第２の固定用板状部の下端部の少なくとも一方には、前記下地板の下端部を受ける支持用突起が形成されていることが好ましい。このようにすれば、支持用突起で下地板を下から支持した状態で下地板の固定を行うことができるので、下地面の構築作業を行いやすい。
【０００９】
本発明では、前記下地板固定用金具の前記第１の固定用板状部の前端縁から前記第２の固定用板状部の折れ曲がり位置までの寸法は、前記下地板の厚さと略等しく、前記第１の固定用板状部は、当該第１の固定用板状部の前端縁位置が前記角材の正面と側面とが形成する角部に一致するように前記角材に固定されることが好ましい。第１の固定用板状部の前端縁位置と角材の正面と側面とが形成する角部とを一致させて下地板固定用金具を取り付ければ、第１の固定用板状部の前端縁から第２の固定用板状部の折れ曲がり位置までの寸法と等しい厚さの下地板を第２の固定用板状部に固定するだけで、下地板の表面と一対の角材の正面とが同一平面（下地面）を形成するので、下地面を容易に構築することができる。
【００１０】
本発明において、前記角材は、例えば柱である。この場合、当該柱のちり部分に対して前記下地板固定用金具を固定して、前記下地面として、新たに構築する壁の下地面を形成する。
【００１１】
本発明の下地面構築方法に用いる下地板固定用金具は、前記角材の他の角材と対向する側面に固定される第１の固定用板状部と、前記下地板の端部の裏面側が当接可能なように前記第１の固定用板状部から直角に折れ曲がって当該下地板の端部が固定される第２の固定用板状部とを備えていることを特徴とする。
【００１２】
本発明の下地板固定用金具は、前記第１の固定用板状部の裏面側、および前記第２の固定用板状部の裏面側の少なくとも一方には、複数の滑り止め用突起が形成されていることが好ましい。
【００１３】
また、本発明の下地板固定用金具は、前記第１の固定用板状部の下端縁、および前記第２の固定用板状部の下端縁の少なくとも一方には、前記下地板の下端部を受ける支持用突起が形成されていることが好ましい。
【発明の効果】
【００１４】
本発明では、下地板固定用金具の第１の固定用板状部によって、下地板固定用金具を角材の側面に固定した後、下地板を下地板固定用金具の第２の固定用板状部に固定して下地面を構成する。このため、下地板については、角材と角材の間に位置する壁などの表面から浮いた状態で固定できるので、角材への下地板固定用金具の固定位置を調整するだけで、現存する壁面の柱の角からの凹み具合などにかかわらず、一定厚の下地板を用いて、角材の正面と下地板の表面とが同一平面をなすように下地板を固定でき、下地面を形成することができる。また、下地板と現状の壁面との間に下地材を詰めなくても、角材の正面と下地板の表面とが同一平面をなすように下地板を固定でき、下地面を形成することができる。また、下地板については下地板固定用金具の第２の固定用板状部に固定すればよいので、現存する壁に対して下地板を釘などで固定する必要がない。それ故、現場の状況にかかわらず、共通の資材を用い、かつ、同一の手順で下地面を構築することができる。よって、壁面などのリフォームを短い工期で安価に行なうことができる。
【発明を実施するための最良の形態】
【００１５】
以下、図面を参照して、本発明の実施の形態を説明する。なお、以下の説明では、本発明の適用例として、壁面をリフォームする際の下地面を構築する例を説明する。
【００１６】
（下地板固定用金具の構成）
図１は、本発明を適用した下地板固定用金具の斜視図である。図２は、本発明を適用した下地面構築方法において、下地板固定用金具を柱に取り付けた後、下地板固定用金具に下地板を固定する方法を示す説明図である。図３は、本発明を適用した下地板固定用金具および下地面構築方法を用いて構築した下地面に下地ボードを貼り付けた様子を示す横断面図である。
【００１７】
図１、図２、および図３に示すように、本形態の下地板固定用金具１は、離間する位置で対向配置されている柱１４０、１４１（角材）との間に形成されている現状の壁１３０を、柱１４０、１４１とともに、新たな壁面１５０で覆うリフォームの際に用いられるＬ形金具であり、柱１４０、１４１の側面１４０ａ、１４１ａに固定される第１の固定用板状部１０と、第１の固定用板状部１０から直角に折れ曲がって、表面（内側の面）に下地板１００の両端部が当接した状態で固定される第２の固定用板状部２０とを有している。下地板固定用金具１において、第１の固定用板状部１０には、上下方向に離間する位置に２つの貫通孔１１、１２が形成されている。下地板固定用金具１は、その全体としての奥行き寸法ｅが柱１４０、１４１のちり部分Ｔの奥行き寸法よりも短い。
【００１８】
（下地面構築方法の説明）
このように構成した下地板固定用金具１を用いて、新たな壁面１５０を形成するための下地面５を構築するにあたっては、図２に示すように、柱１４０、１４１のちり部分Ｔに対して、釘やねじなどの第１の止め具２を用いて第１の固定用板状部１０を固定し、柱１４０、１４１の略同じ高さ位置に下地板固定用金具１を各々、固定する。その際、下地板固定用金具１の前端縁１０ｂと、柱１４０、１４１の正面１４０ｂ、１４１ｂと側面１４０ａ、１４１ａが形成する角１４０ｃ、１４１ｃとが一致するように、下地板固定用金具１の位置を調整して固定する。その結果、下地板固定金具１は、手前側に第１の固定用板状部１０が位置し、その奥で第２の固定用板状部２０が正面を向いた状態で柱１４０、１４１に固定される。このような方法により、柱１４０、１４１の高さ方向の複数箇所に下地板固定用金具１を取り付ける。
【００１９】
次に、下地板１００の両端部の裏側を下地板固定用金具１の第２の固定用板状部２０の表面に当接させた状態で、ねじなどの第２の止め具３で下地板１００の両端部を下地板固定用金具１の第２の固定用板状部２０に固定する。
【００２０】
ここで、下地板１００としては、第１の固定用板状部１０の前端縁１０ｂから第２の固定用板状部２０の折れ曲がり位置１０ｆまでの寸法（奥行き寸法ｄ）と略等しい厚さのものを用いる。このような方法により、柱１４０、１４１の高さ方向の複数箇所に対し、下地板固定用金具１を介して下地板１００を架け渡す。
【００２１】
その結果、図３に示すように、柱１４０、１４１の正面１４０ｂ、１４１ｂと下地板１００の表面とは同一平面を構成し、本形態では、柱１４０、１４１の正面１４０ｂ、１４１ｂと下地板１００の表面とによって形成された平面を下地面５とする。
【００２２】
次に、下地面５（柱１４０、１４１の正面１４０ｂ、１４１ｂと下地板１００の表面）に対して、釘やステープルなどの第３の止め具４で下地ボード１１０を貼り付けた後、下地ボード１１０の表面にクロス１２０を貼る。これにより、新たな壁面１５０が形成され、この部分のリフォームが完了する。
【００２３】
（本形態の効果）
以上説明したように、本形態では、下地板固定用金具１の第１の固定用板状部１０と、柱１４０、１４１の対向する側面１４０ａ、１４１ａのちり部分Ｔとを利用して、Ｌ字形の下地板固定用金具１を柱１４０、１４１に固定した後、下地板１００の両端部を下地板固定用金具１の第２の固定用板状部２０に固定し、柱１４０、１４１の正面１４０ｂ、１４１ｂと下地板１００の表面を同一平面に揃えて下地面５を構築する。このため、下地板１００については、柱１４０、１４１の間に位置する壁１３０の表面から浮いた状態で固定できるので、柱１４０、１４１への下地板固定用金具１の前後方向における固定位置を調整するだけで、現存する壁１３０の柱１４１、１４１の角１４０ｃ、１４１ｃからの凹み具合（ちり部分Ｔの寸法）などにかかわらず、一定厚の下地板１００を用いて、柱１４０、１４１の正面１４０ｂ、１４１ｂと下地板１００の表面とを揃えて下地面５を形成することができる。また、下地板１００と現状の壁１３０との間に下地材を詰めなくても、柱１４０、１４１の正面１４０ｂ、１４１ｂと下地板１００の表面とを揃えて下地面５を形成することができる。さらに、下地板１００については下地板固定用金具１の第２の固定用板状部２０に固定すればよいので、現存する壁１３０に対して下地板１００を釘などで固定する必要がない。それ故、本形態によれば、現場の状況にかかわらず、共通の資材を用い、かつ、同一の手順で下地面５を構築することができるので、壁面のリフォームを短い工期で安価に行なうことができる。
【００２４】
また、下地板固定用金具１は、下地板１００と柱１４０、１４１との間から突出しないため、平坦な下地面５を構築することができる。
【００２５】
［その他の実施の形態］
図４（Ａ）に示すように、下地板固定用金具１において、第１の固定用板状部１０の裏面側には、柱１４０、１４１に食い込んで下地板固定用金具１の位置ずれを防止する滑り止め用突起１３を形成してもよい。また、下地板固定用金具１を柱１４０、１４１に固定した状態において、第２の固定用板状部２０の裏面側については、壁１３０に当接する場合、および壁１３０に当接しない場合があるが、第２の固定用板状部２０の裏面側にも、図４（Ａ）に示すように、滑り止め用突起２３を形成しておけば、第２の固定用板状部２０の裏面側が壁１３０に当接するような場合、下地板固定用金具１の位置ずれを防止する機能を発揮する。
【００２６】
また、図４（Ｂ）に示すように、第１の固定用板状部１０の下端部、あるいは第２の固定用板状部２０の下端部の少なくとも一方には、下地板１００の下端部を受ける支持用突起１４、２４を形成してもよい。この場合には、支持用突起１４、２４に下地板１００の下端部を掛ければ、下地板１００をその位置に保持することができるので、下地板固定用金具１に下地板１００を固定する固定作業が行いやすい。
【００２７】
なお、上記形態では、壁面に対する下地面を構築する場合を例に説明したが、天井や床をリフォームする際に本発明を適用してもよい。この場合、天井に形成された梁や枠を構成する角材、あるいは床面に形成された根太などの角材に対して、第１の固定用板状部１０を介して下地板固定用金具１を取り付けた後、下地板固定用金具１の第２の固定用板状部２０に下地材１００を固定して下地面を形成すればよい。
【００２８】
また、上記形態では、手前側に第１の固定用板状部１０が位置し、その奥で第２の固定用板状部２０が正面を向いた状態で下地板固定金具１を柱１４０、１４１に固定したが、手前側に第２の固定用板状部２０が位置し、そこから奥に向かって第１の固定用板状部１０が延びるように下地板固定金具１を柱１４０、１４１などに取り付け、第２の固定用板状部２０の外側の面に下地板１００を固定してもよい。
【産業上の利用可能性】
【００２９】
本発明では、下地板固定用金具の第１の固定用板状部によって、下地板固定用金具を角材の側面に固定した後、下地板を下地板固定用金具の第２の固定用板状部に固定して下地面を構成する。このため、下地板については、角材と角材の間に位置する壁などの表面から浮いた状態で固定できるので、角材への下地板固定用金具の固定位置を調整するだけで、現存する壁面の柱の角からの凹み具合などにかかわらず、一定厚の下地板を用いて、角材の正面と下地板の表面とが同一平面をなすように下地板を固定でき、下地面を形成することができる。また、下地板と現状の壁面との間に下地材を詰めなくても、角材の正面と下地板の表面とが同一平面をなすように下地板を固定でき、下地面を形成することができる。また、下地板については下地板固定用金具の第２の固定用板状部に固定すればよいので、現存する壁に対して下地板を釘などで固定する必要がない。それ故、現場の状況にかかわらず、共通の資材を用い、かつ、同一の手順で下地面を構築することができる。よって、壁面などのリフォームを短い工期で安価に行なうことができる。
【図面の簡単な説明】
【００３０】
【図１】本発明を適用した下地板固定用金具の斜視図である。
【図２】本発明を適用した下地面構築方法において、下地板固定用金具を柱に取り付けた後、下地板固定用金具に下地板を固定する方法を示す説明図である。
【図３】本発明を適用した下地板固定用金具および下地面構築方法を用いて構築した下地面に下地ボードを貼り付けた様子を示す横断面図である。
【図４】（Ａ）、（Ｂ）は、本発明を適用した下地板固定用金具の変形例を示す説明図である。
【符号の説明】
【００３１】
１  下地板固定用金具
５  下地面
１０  第１の固定用板状部
１３、２３  滑り止め用突起
２０  第１の固定用板状部
１００  下地板
１１０  下地ボード
１２０  クロス
１３０  現状の壁
１４０、１４１  柱（角材）
１５０  新たな壁面
【図１】
2005146630.tif 000003
【図２】
2005146630.tif 000004
【図３】
2005146630.tif 000005
【図４】
2005146630.tif 000006